(57)【要約】      （修正有）【課題】温熱療法に効果的な蒸気熱の温度をより長時間にわたって維持可能にした温熱パットを提供する。【解決手段】温熱パッド１は、身体に当接する当接面２ａを有する本体２を備えている。当接面２ａの内側には、少なくとも当接面２ａ側が通気性を有する素材で形成されているとともに、大気中の水分を吸着する吸着材７が充填された第一収容体３が配設されている。第一収容体３の反当接面２ｂ側には、密封性を有するように形成されているとともに、水分性の蓄熱ゲル８が充填された第二収容体４が配設されている。そして、第一収容体３及び第二収容体４を加熱手段で加熱した後、当接面２ａを身体に当接して使用するように構成されている。【選択図】図１
0003192469.tif 000002
【実用新案登録請求の範囲】
【請求項１】
身体に当接する当接面を有する本体を備え、
該当接面の内側には、少なくとも当接面側が通気性を有する素材で形成されているとともに、大気中の水分を吸着する吸着材が充填された第一収容体が配設されており、
該第一収容体の反当接面側には、密封性を有するように形成されているとともに、水分性の蓄熱ゲルが充填された第二収容体が配設されており、
前記第一収容体及び前記第二収容体を加熱手段で加熱した後、前記当接面を身体に当接して使用するように構成されている温熱パッド。
【請求項２】
前記蓄熱ゲルは、前記吸着材よりも比熱が相対的に大きいものである請求項１記載の温熱パッド。
【請求項３】
前記第一収容体及び前記第二収容体は、袋体である請求項１又は２記載の温熱パッド。
【請求項４】
前記吸着材はシリカゲルであり、前記加熱手段は電子レンジである請求項１〜３のいずれか一項に記載の温熱パッド。
【請求項５】
前記ゲルは、水分性のものである請求項１〜４のいずれか一項に記載の温熱パッド。
【請求項６】
前記第一収容体又は／及び前記第二収容体は、前記本体から取り出し可能に構成されている請求項１〜５のいずれか一項に記載の温熱パッド。
【請求項７】
前記本体は、身体に装着する装着手段を備えている請求項１〜６のいずれか一項に記載の温熱パッド。
【考案の詳細な説明】
【技術分野】
【０００１】
本考案は、温熱を利用して目元、肩、腰、足等の温熱療法に用いる温熱パッドに関するものである。
【背景技術】
【０００２】
従来の温熱パッドとしては、特許文献１に記載された温熱パッドを例示する。図６に示すように、この温熱パッドは、大気中の水分を吸着する、シリカゲル等の吸着材の物質の特性を利用するものであり、吸着材１０２を充填せしめて形成しているパッド本体１０３を含んでいる。この温熱パッドを利用するときは、該パッド本体１０３を電子レンジ等の加熱手段を用いて加熱することにより、蒸気熱を発生させて湿熱を含んだ状態にさせておき、それを身体の治療箇所に当てるようになっている。
【０００３】
そして、このような構成の温熱パッドにおいて、その温熱の持続時間を延長するために、温熱パッドにおける身体に接しない側の上面に水蒸気不透過性材料を使用したもの（特許文献２参照。）や、パッド本体内に、前記吸着材とともに固液相変化物質を固形化した蓄熱材を封入したもの（特許文献３参照）がある。
【先行技術文献】
【特許文献】
【０００４】
【特許文献１】特開２０００−１３９９８７号公報
【特許文献２】特開２００２−２００１０６号公報
【特許文献３】特開２００５−１３７４６５号公報
【考案の概要】
【考案が解決しようとする課題】
【０００５】
ところが、特許文献２の温熱パッドではパッド本体内で加熱された水蒸気が上面を透過して蒸発し難くすることにより、また、特許文献３の温熱パッドでは吸着材が発生した蒸気熱の一部を蓄熱材の固液相変化潜熱として蓄えることにより、それぞれ、温熱の持続時間を延長しようとしている。しかし、いずれの構成も、そもそもの温熱源を吸着材が発生した蒸気熱のみに頼っているため、温熱の持続時間の延長に限度があるという課題がある。
【課題を解決するための手段】
【０００６】
前記課題を解決するために、本考案の温熱パッドは、
身体に当接する当接面を有する本体を備え、
該当接面の内側には、少なくとも当接面側が通気性を有する素材で形成されているとともに、大気中の水分を吸着する吸着材が充填された第一収容体が配設されており、
該第一収容体の反当接面側には、密封性を有するように形成されているとともに、蓄熱ゲルが充填された第二収容体が配設されており、
前記第一収容体及び前記第二収容体を加熱手段で加熱した後、前記当接面を身体に当接して使用するように構成されている。
【０００７】
この構成によれば、前記加熱により、前記第一収容体の中の吸着材が蒸気熱を前記当接面側から発生するので、身体の温熱療法に利用することができる。それとともに、前記加熱により、前記第二収容体の中の蓄熱ゲルが蓄熱して前記第一収容体を保温するので、前記蒸気熱の温度の低下を遅らせることができ、温熱療法に効果的な温度を長時間にわたって維持させることができる。さらに、仮に前記第一収容体の全体が通気性を有する素材で形成されているとしても、該第一収容体の反当接面側には密封性を有するように形成された前記第二収容体が配設されているので、前記吸着材が放出する蒸気熱が、前記第二収容体側から漏出し難い。
【０００８】
前記蓄熱ゲルは、前記吸着材よりも比熱が相対的に大きいものである態様を例示する。
【０００９】
この構成によれば、比熱が大きい前記蓄熱ゲルの作用（比熱は大きくなるほど、温まりにくく、さめにくい性質を持つ。）により、加熱時に前記吸着材の温度が急激に上昇したり、過度に高温になったりすることを抑制することができるとともに、より長時間にわたって温度を維持することができる。
【００１０】
前記本体としては、少なくとも、前記当接面が通気性を有する素材で形成されていれば特に限定されないが、軟質な素材、硬質な素材、又はそれらの組み合わせで形成されている態様を例示する。
【００１１】
前記収容体としては、特に限定されないが、袋体、箱体、ケース体等である態様を例示する。また、前記第一収容体と前記第二収容体は、それぞれ別態様のものにしてもよい。例えば、前記第一収容体を袋体にし、前記第二収容体を箱体にすることが挙げられる。
【００１２】
前記吸着材はシリカゲルであり、前記加熱手段は電子レンジである態様を例示する。
【００１３】
前記蓄熱ゲルは、水分性のものである態様を例示する。
【００１４】
前記温熱パッドとしては、
前記第一収容体又は／及び前記第二収容体は、前記本体から取り出し可能に構成されている態様を例示する。
【００１５】
この構成によれば、例えば、所要の使用時間や使用温度に応じて前記第一収容体又は／及び前記第二収容体の構成を適宜変更したり、機能が低下した前記第一収容体又は／及び前記第二収容体を適宜交換したりすることができる。
【００１６】
前記温熱パッドとしては、
前記本体は、身体に装着する装着手段を備えている態様を例示する。
【００１７】
この構成によれば、前記当接面をその当接場所に留めておくことができる。
【考案の効果】
【００１８】
本考案に係る温熱パッドによれば、温熱療法に効果的な蒸気熱の温度をより長時間にわたって維持させることができるという優れた効果を奏する。
【図面の簡単な説明】
【００１９】
【図１】本考案を具体化した第一実施形態に係る目元用の温熱パッドを示す図であり、（ａ）は正面図、（ｂ）は（ａ）のｂ−ｂ線断面図である。
【図２】同温熱パッドの内部に配設される第一収容体及び第二収容体の時間の経過に伴う温度変化を示すグラフである。
【図３】本考案を具体化した第二実施形態に係る肩用の温熱パッドを示す図であり、（ａ）は正面図、（ｂ）は底面図である。
【図４】本考案を具体化した第三実施形態に係る腰用の温熱パッドを示す図であり、（ａ）は正面図、（ｂ）は底面図である。
【図５】本考案の変更例に係る目元用の温熱パッドを示す図であり、（ａ）は正面図、（ｂ）は底面図である。
【図６】従来の温熱パッドの断面図である。
【考案を実施するための形態】
【００２０】
図１及び図２は本考案を具体化した第一実施形態に関するものである。本考案の温熱パッド１は、目元用に構成されており、身体に当接する当接面２ａを有する本体２を備え、該当接面２ａの内側には第一収容体３が配設されており、該第一収容体３の反当接面側には第二収容体４が配設されている。
【００２１】
本例の本体２は、左右の目元にフィットしてそれを覆う眼鏡状に形成されており、その内部には、層状に重ねられた第一収容体３及び第二収容体４が配設されている。本体２には、第一収容体３又は／及び第二収容体４を取り出し可能な開口部を設けるようにしたり、身体の頭部に装着するためのベルトやテンプルを設けたりしてもよい。本体２としては、特に限定されないが、全体を通気性を有するシートで形成してなる態様や、当接面２ａ側を通気性を有するシートで形成するとともに反当接面２ｂ側を硬質な樹脂で形成してなる態様等を例示する。また、本体２の反当接面２ｂ側の内面には、シート状の発泡材を取り付けたり、さらに、その発泡材の表面にアルミ箔フィルムを溶着したりすることもできる。こうすると、本体２の反当接面２ｂ側から熱が拡散しにくい構造とすることができる。
【００２２】
第一収容体３は、少なくとも当接面側３ａが通気性を有する素材で形成されているとともに、大気中の水分を吸着する吸着材７が充填されている。本例の第一収容体３は、全体が通気性のある織布又は不織布からなる袋体となっている。
【００２３】
吸着材７としては、大気中の水分を吸着するとともに加熱されると蒸気熱を発生するものであれば特に限定されないが、シリカゲルが好適である。シリカゲルには、低湿度において湿気を吸着する力が強いＡ型と、高湿度において多量の湿気を吸い、吸着容量が大きいＢ型があり、前者は低湿度でも水分を吸着し、加熱すると水分を放出する性質があり、後者は高湿度に置くと水分を多く吸着する一方、低湿度に置くと吸着していた水分を徐々に放湿する性質がある。本考案では、室内での通常環境下で湿度を吸収しやすいＡ型を採用している。このＡ型のシリカゲルとしては、具体的には、吸湿率（重量含水率）が、相対湿度２０％、５０％及び９０％のときに、それぞれ８％以上、２０％以上及び３０％以上である特性のものを採用することを例示する。また、特に限定されないが、本例のシリカゲルとしては、比熱が０．９２（ＫＪ／ｋｇ・Ｋ）であり、粒状に形成された、直径７〜１２ｍｍのものを採用している。
【００２４】
第二収容体４は、密封性を有するように形成されているとともに、水分性の蓄熱ゲル８が充填されている。本例の第二収容体４は、ＰＥ（ポリエチレン）、ＰＰ（ポリプロピレン）などの合成樹脂フィルム製の袋体となっている。さらに、その合成樹脂フィルム製の袋体を通気性を有する不織布袋で覆うことにより、二重袋にすることもでき、そうすると、万一加熱しすぎ合成樹脂フィルム製の袋体が破裂した場合でも中身が飛び散ることを防ぐことができる。
【００２５】
蓄熱ゲル８としては、水、水吸収ゲル化剤及び増粘剤を含むものを例示する。本例の蓄熱ゲル８は、水を主成分としており、その比熱は、水の比熱である４．１８７（ＫＪ／ｋｇ・Ｋ）に近似するものとなっており、吸着材７よりも相対的に大きいものとなっている。
【００２６】
次に、本例の温熱パッド１の使用方法について説明する。なお、吸着材７は空気中の水分を吸着し、重量が約２０％増加しているものとする。
【００２７】
まず、本例の温熱パッド１を電子レンジのレンジ皿に載置する。次いで、電子レンジを５００Ｗに設定し、温熱パッド１を電子レンジ機能で約３０秒間加熱する。すると、吸着材７が蒸気熱を発生するとともに、蓄熱ゲル８が蓄熱する。次いで、温熱パッド１を電子レンジから取り出し、その当接面２ａ側を目元に当接させる。すると、吸着材７の蒸気熱の作用によって目元が温められるとともに、蓄熱ゲル８の作用によって蒸気熱の温度が維持される。
【００２８】
図２は、本例の温熱パッド１の内部に配設されている、層状に重ねられた第一収容体３及び第二収容体４の時間の経過に伴う温度変化を示すグラフである。このグラフは、吸着材７が約１２５ｇ収容された第一収容体３と、蓄熱ゲル８が約７０ｇ収容された第二収容体４とを出力５００Ｗの電子レンジで約４０秒加熱した後、電子レンジから取り出して、タオルの上に置き、タオルとの間の温度を計測した結果を示すものである。また、このグラフには、吸着材７が約１２５ｇ収容された第一収容体３だけを、出力５００Ｗの電子レンジで約３０秒加熱した後、同様に計測したものを比較例として示している。なお、計測時の室温は、同図に示すように約２０℃であった。
【００２９】
図２によれば、吸着材７が収容された第一収容体３だけの構成では、加熱後直後は最高温度となるが、その後の温度の低下が速い。これに対し、第一収容体３及び第二収容体４を層状に重ねている本考案の構成では、最高温度は高くないが、温度低下が遅い。身体に当接するためのこの種の温熱パッド１では、温度が高すぎると身体に当てることが困難であるため、最高温度を高くする必要はない。本考案の構成によれば、比熱が大きい蓄熱ゲル８の作用により、加熱時に吸着材７の温度が急激に上昇したり、過度に高温になったりすることを抑制することができるとともに、より長時間にわたって温度を維持することができる。このため、最高温度は高くはないが、身体に当てるに有用な温度帯である４０℃〜４５℃程度の適度な温度が平均して持続している。これにより、より長時間にわたって効果的に温熱療法に使用可能になる。
【００３０】
以上のように構成された本例の目元用の温熱パッド１によれば、加熱により、第一収容体３の中の吸着材７が蒸気熱をその当接面側から発生するので、身体の温熱療法に利用することができる。それとともに、前記加熱により、第二収容体４の中の蓄熱ゲル８が蓄熱して第一収容体３を保温するので、前記蒸気熱の温度の低下を遅らせることができ、温熱療法に効果的な温度を長時間にわたって維持させることができる。さらに、仮に第一収容体３の全体が通気性を有する素材で形成されているとしても、該第一収容体３の反当接面側には密封性を有するように形成された第二収容体４が配設されているので、吸着材７が放出する蒸気熱が、第二収容体４側から漏出し難い。
【００３１】
また、蓄熱ゲル８は、吸着材７よりも比熱が相対的に大きいものであるので、比熱が大きい蓄熱ゲル８の作用（比熱は大きくなるほど、温まりにくく、さめにくい性質を持つ。）により、加熱時に吸着材７の温度が急激に上昇したり、過度に高温になったりすることを抑制することができるとともに、より長時間にわたって温度を維持することができる。
【００３２】
また、第一収容体３又は／及び第二収容体４は、本体２から取り出し可能に構成されているので、例えば、所要の使用時間や使用温度に応じて第一収容体３又は／及び第二収容体４の構成を適宜変更したり、機能が低下した第一収容体３又は／及び第二収容体４を適宜交換したりすることができる。
【００３３】
また、本体２は、身体に装着する装着手段を備えているので、当接面２ａをその当接場所に留めておくことができる。
【００３４】
次に、図３は本考案を具体化した第二実施形態を示している。この温熱パッド１０は、以下に示す点において、主に第一実施形態と相違している。従って、同実施形態と共通する部分については、同一符号を付することにより重複説明を省く。
【００３５】
本例の温熱パッド１０は、肩用のものである。本例の本体２は、略Ｖ字状に形成されており、その中央部が背中側の首部分に載置され、両端部分がその首元から肩方向に延びるように肩部に載置されるように形成されている。本体２の中央部を挟んだ両端側の内部には、層状に重ねられた第一収容体３及び第二収容体４が配設されている。
【００３６】
本例の温熱パッド１０によっても、第一実施形態と同様の効果を得ることができる。
【００３７】
次に、図４は本考案を具体化した第三実施形態を示している。この温熱パッド２０は、以下に示す点において、主に第一実施形態と相違している。従って、同実施形態と共通する部分については、同一符号を付することにより重複説明を省く。
【００３８】
本例の温熱パッド２０は腰用のものである。本例の本体２は、腰にフィットするように略長方形状に形成されており、該本体を腰に装着する装着手段としてのベルト２１を備えている。ベルト２１の両端部には、互いに着脱可能な面ファスナー２１ａ，２１ｂが配設されている。本体２の内部には、層状に重ねられた第一収容体３及び第二収容体４が配設されている。
【００３９】
本例の温熱パッド２０によっても、第一実施形態と同様の効果を得ることができる。
【００４０】
なお、本考案は前記実施形態に限定されるものではなく、例えば以下のように、考案の趣旨から逸脱しない範囲で適宜変更して具体化することもできる。
（１）温熱パッド１、１０、２０の形状を適宜変更すること。例えば、第一実施形態の温熱パッド１の形状を図５に示す温熱パッド３０のように変更することが挙げられる。
（２）吸着材７や蓄熱ゲル８の組成を適宜変更すること。
（３）第一収容体３や第二収容体４の形状を適宜変更すること。
【符号の説明】
【００４１】
１    温熱パッド
２    本体
２ａ  当接面
２ｂ  反当接面
３    第一収容体
３ａ  当接面側
４    第二収容体
７    吸着材
８    蓄熱ゲル
１０    温熱パッド
２０    温熱パッド
２１    ベルト
２１ａ  面ファスナー
２１ｂ  面ファスナー
３０    温熱パッド
【図１】
0003192469.tif 000003
【図２】
0003192469.tif 000004
【図３】
0003192469.tif 000005
【図４】
0003192469.tif 000006
【図５】
0003192469.tif 000007
【図６】
0003192469.tif 000008